(57)【要約】【課題】作業者が母線接続及び点検の作業を効率的に行える多段積配電盤を提供する。【解決手段】函体１内に複数のフィーダ機器４ａ，４ｂと各フィーダ機器４ａ，４ｂに電源を供給する母線７とを各々のコンパートメントに区分して収納した多段積配電盤１であって、母線コンパートメントを配電盤前後方向の略中央上部に配置しかつ隣接する他の配電盤１’との母線接続作業及び母線接続部の点検作業のための開口部を配電盤の天井に設けて成る多段積配電盤において、開口部２４を母線接続部２１の直上に設け、この開口部２４と隣接開口部２４’との全体を塞ぐカバー２５を配電盤天井に設け、開口部２４と母線接続部間２１に介在している筺体枠等の介在物は開口部範囲からすべて取り除いた。【選択図】    図１
2004242467.tif 000002
【特許請求の範囲】
【請求項１】
函体内に複数のフィーダ機器と各フィーダ機器に電源を供給する母線とを各々のコンパートメントに区分して収納した多段積配電盤であって、母線コンパートメントを配電盤前後方向の略中央上部に配置しかつ隣接する他の配電盤との母線接続作業及び母線接続部の点検作業のための開口部を配電盤の天井に設けて成る多段積配電盤において、
前記開口部を母線接続部の直上に設けたことを特徴とする配電盤。
【請求項２】
前記配電盤の開口部と該配電盤に隣接する隣接配電盤の開口部とで形成される閉じた開口部全体を塞ぐカバーを配電盤天井に設けたことを特徴とする請求項１記載の配電盤。
【請求項３】
前記カバーは取り外し式、ヒンジ開閉式、スライド式、蛇腹式のいずれかで構成されたことを特徴とする請求項２記載の配電盤。
【請求項４】
前記開口部と前記母線接続部間に介在している筺体枠等の介在物は前記開口部範囲から取り除くか又は前記開口部範囲を迂回させたことを特徴とする請求項１〜３のいずれか１項記載の配電盤。
【発明の詳細な説明】
【０００１】
【発明の属する技術分野】
本発明は、配電盤内に収納される母線の点検作業をし易くした配電盤に関するものである。
【０００２】
【従来の技術】
従来のこの種の発明として、特許文献１記載の配電盤が公知である。
【０００３】
【特許文献１】
特開２００１−１７７９３１号公報
【０００４】
特許文献１記載の発明は、配電盤の前面側から主母線の保守・点検が行なえるようにするもので、筺体における仕切板の背面側に分岐導体を設ける一方、前面側には主母線を設け、仕切板を貫通する貫通碍子に埋設した内部導体を介して主母線と分岐導体とを接続するようにしている。
ところがこの発明は２フィーダ２段積の配電盤であるが、隣接配電盤との関係について生じる課題については何も記載されていない。すなわち、本発明は母線コンパートメントを配電盤前後方向の略中央上部に配置しかつ隣接する他の配電盤との母線接続作業及び母線接続部の点検作業のための開口部を配電盤の天井に設けて成る多段積配電盤において生じる問題を扱うものである。
図３および図４は問題としている段積盤を示す図である。
図３は一般的な２フィーダ収納の２段積盤の側面図、図４は図３の天井部分の上面図を示している。
図３において、１は筐体で、矢印Ａが正面側である。２ａ，２ｂは上下の正面ドア、３ａ，３ｂは上下の制御機器室、４ａ，４ｂは上下の遮断器、５は母線室、６はケーブル室、７は母線、８ａ，８ｂは上下の変流器、９ａ，９ｂは上下の外部端子、１０ａ，１０ｂは上下のケーブル、１１ａ、１１ｂは後面ドア、１２ａ，１２ｂは上下の後面保護カバー、１３は母線室後面シキリ板、１４は母線室上面カバー、１６は天井溶接板である。
盤内のコンパートメントの配置（側面から見た姿）は、正面ドア２ａ，２ｂを開けた内部に前面から後面に向かって、制御機器室３ａ，３ｂ、遮断器室４ａ，４ｂ、母線室５、ケーブル室６の順に配列されており、母線７の相配置は奥行方向に一列とし、各相の母線とも紙面の垂直方向に延びている。
【０００５】
各機器の盤内接続は、母線７から上下遮断器４ａ、４ｂ、変流器８ａ、８ｂ、外部端子９ａ、９ｂへ接続され、外部端子９ａ、９ｂには、外部機器からのケーブルが接続されている。また母線７は、紙面の垂直方向に隣接する他盤の母線と盤側面端部で接続されている。
図４は筐体１とこの筐体１に隣接する筐体１’の上面図を示している。
図において、１６は天井溶接板、２１は母線接続部、２２は分岐接続部、２３は隣接盤との継ぎ目、２４は天井部開口、２５は天井開口部カバー、２６は天井部筐体である。
母線接続部２１は、母線の盤内分岐接続部２２を避ける等の為、隣接する盤（筐体）との継ぎ目部分２３にまたがって配置されている。
盤天井部には、母線７の他盤の筐体１’との接続及び点検作業の為の開口２４を設け、カバー２５で塞いでいる。したがって、母線７の他盤の筐体１’との接続及び点検作業は、前記カバー２５を取り外し開口２４から行っている。
【０００６】
【発明が解決しようとする課題】
作業に際し天井部カバー２５を取り外しても、両サイドの枠２６（強度メンバー）は残ったままで母線接続部２１に被さる（母線接続部と作業者の間に介在する）状態となり、真上からの接近及び目視ができないため、母線接続及び点検が困難な作業となり、非効率的で且つ不完全作業を誘発する要因となった。
本発明は、以上の課題を解決するもので、真上からの接近及び目視をできるようにして、母線接続及び点検作業をし易くした配電盤を提供することを目的とする。
【０００７】
【課題を解決するための手段】
請求項１記載の配電盤の発明は、函体内に複数のフィーダ機器と各フィーダ機器に電源を供給する母線とを各々のコンパートメントに区分して収納した多段積配電盤であって、母線コンパートメントを配電盤前後方向の略中央上部に配置しかつ隣接する他の配電盤との母線接続作業及び母線接続部の点検作業のための開口部を配電盤の天井に設けて成る多段積配電盤において、前記開口部を母線接続部の直上に設けたことを特徴とする。
以上の構成によって、開口部が母線接続部の直上にくるため作業者は真上からの接近及び目視ができるようになり、母線接続及び点検の作業が効率的に行えるようになる。
請求項２記載の発明は、請求項１記載の配電盤において、前記配電盤の開口部と該配電盤に隣接する隣接配電盤の開口部とで形成される閉じた開口部全体を塞ぐカバーを配電盤天井に設けたことを特徴とする。
以上の構成によって、開口部全体をカバーで塞ぐことができるので、塵埃や小動物等が函体内に侵入するのを防止することができる。
請求項３記載の発明は、請求項２記載の配電盤において、前記カバーが取り外し式、ヒンジ開閉式、スライド式、蛇腹式のいずれかで構成されたことを特徴とする。
以上の構成によって、カバーの開口部からの除去・覆いが簡単に行えるようになる。
請求項４記載の発明は、請求項１〜３のいずれか１項記載の配電盤において、前記開口部と前記母線接続部間に介在している筺体枠等の介在物は前記開口部範囲から取り除くか又は前記開口部範囲を迂回させたことを特徴とする。
以上の構成によって、作業に際しカバーを取り外すと、両サイドの枠（強度メンバー）が無いので、作業者と母線接続部との間に何も介在するものがなくなり、真上からの接近及び目視が可能となる。したがって、母線接続及び点検の作業が効率的となり、作業を完全に遂行できるようになる。
【０００８】
【発明の実施の形態】
以下、本発明について図１および図２に基づいて詳しく説明する。
図１は、本発明に係る構造の配電盤の天井部分の平面図である。図２は図１の２フィーダ収納の２段積盤の側面図である。
図１において、矢印Ａが正面側である。１は筐体、１５は接続母線、２１は母線接続部、２３は隣接盤との継ぎ目、２４は天井部開口、２５は天井開口部カバー、２６は天井部筐体である。また、１’は筐体１に隣接する別の筐体、１”は筐体１の反対側に隣接する別の筐体である。
また、図２において、矢印Ａが正面側である。１は筐体、２ａ，２ｂは上下の正面ドア、３ａ，３ｂは上下の制御機器室、４ａ，４ｂは上下の遮断器、５は母線室、６はケーブル室、７は母線、８ａ，８ｂは上下の変流器、９ａ，９ｂは上下の外部端子、１０ａ，１０ｂは上下のケーブル、１１ａ、１１ｂは後面ドア、１２ａ，１２ｂは上下の後面保護カバー、１３は母線室後面シキリ板、１４は母線室上面カバー、１６は天井溶接板である。
盤内のコンパートメントの配置（側面から見た姿）は、正面ドア２ａ，２ｂを開けた内部に前面から後面に向かって、制御機器室３ａ，３ｂ、遮断器室４ａ，４ｂ、母線室５、ケーブル室６の順に配列されており、母線７の相配置は奥行方向に一列とし、各相の母線とも紙面の垂直方向に延びている。
各機器の盤内接続は、母線７から上下遮断器４ａ、４ｂ、変流器８ａ、８ｂ、外部端子９ａ、９ｂへ接続され、外部端子９ａ、９ｂには、外部機器からのケーブルが接続されている。また母線７は、紙面の垂直方向に隣接する他盤の母線と盤側面端部で接続されている。
【０００９】
図１から判るように、本発明によれば、筺体１の天井の別筐体１’と１”側の両サイドの枠２６、２６を部分的に取り去り又は内側に寄せて開口２４を母線接続部２１の真上に配置している。すなわち、隣接する隣接盤との継ぎ目２３、２３にまたがって開口２４、２４を配置している。
そして、配電盤の開口部２４とこの配電盤１に隣接する隣接の配電盤１’の開口部２４’とで合わせて形成される大きな開口部全体（２４＋２４’）を配電盤天井に設けたカバー２５により塞いでいる。
また、配電盤の開口部２４とこの配電盤１の反対側に隣接する配電盤１”の開口部２４”とで合わせて形成される大きな開口部全体（２４＋２４”）も、同様に配電盤天井に設けたカバー２５’により塞いでいる。
カバー２５、２５’は、開口部２４の上に取り外し自由に載置するものでよいが、その他、ヒンジを使用した開閉式、店のシャッターのようなスライド式、アコーディオンカーテンのような蛇腹式のいずれかで構成すると、重力に逆らって持ち上げる必要がないので操作が楽になりしかも紛失しなくなるのでいっそう便利である。
【００１０】
開口部２４と母線接続部２１の間に介在している筺体枠等の介在物は開口部２４範囲から取り除くか又は開口部２４範囲を迂回させることで、母線接続及び点検作業時には、カバー２５を取り外せば、開口２４から障害物を介さず直接母線接続部２１が目視でき、および作業員は普通の姿勢で母線接続部２１に手が届くので、母線接続及び点検作業を効率的且つ確実、容易に行うことができるようになり便利である。
【００１１】
【発明の効果】
以上のように、請求項１記載の配電盤の発明によれば、函体内に複数のフィーダ機器と各フィーダ機器に電源を供給する母線とを各々のコンパートメントに区分して収納した多段積配電盤であって、母線コンパートメントを配電盤前後方向の略中央上部に配置しかつ隣接する他の配電盤との母線接続作業及び母線接続部の点検作業のための開口部を配電盤の天井に設けて成る多段積配電盤において、前記開口部を母線接続部の直上に設けたので、開口部が母線接続部の直上にくるため作業者は真上からの接近及び目視ができるようになり、母線接続及び点検の作業が効率的に行えるようになる。
請求項２記載の発明によれば、前記配電盤の開口部と該配電盤に隣接する隣接配電盤の開口部とで形成される閉じた開口部全体を塞ぐカバーを配電盤天井に設けたので、塵埃や小動物等が函体内に侵入するのを防止することができる。
請求項３記載の発明によれば、前記カバーが取り外し式、ヒンジ開閉式、スライド式、蛇腹式のいずれかで構成したので、カバーの開口部からの除去・覆いが簡単に行えるようになる。
請求項４記載の発明によれば、前記開口部と前記母線接続部間に介在している筺体枠等の介在物が前記開口部範囲から取り除くか又は前記開口部範囲を迂回させたので、作業に際しカバーを取り外すと、両サイドの枠（強度メンバー）が無いため、作業者と母線接続部との間に何も介在するものがなくなり、真上からの接近及び目視が可能となり、母線接続及び点検の作業が効率的となり、作業を完全に遂行できるようになる。
【図面の簡単な説明】
【図１】本発明の実施の形態に係る配電盤の上面図である。
【図２】本発明の実施の形態に係る配電盤の側面図である。
【図３】従来構造の配電盤の側面図である。
【図４】従来構造の配電盤の上面図である。
【符号の説明】
１：筐体
２ａ，２ｂ：正面ドア
３ａ，３ｂ：制御機器室
４ａ，４ｂ：遮断器
５：母線室
６：ケーブル室
７：母線
８ａ，８ｂ：変流器
９ａ，９ｂ：外部端子
１０ａ，１０ｂ：ケーブル
１１ａ，１１ｂ：後面ドア
１２ａ，１２ｂ：後面保護カバー
１３：母線室後面シキリ板
１４：母線室上面カバー
１５：接続母線
１６：天井溶接板
２１：母線接続部
２２：分岐接続部
２３：隣接盤との継ぎ目
２４，２４’，２４”：天井部開口
２５、２５’：天井開口部カバー
２６：天井部筐体
【図１】
2004242467.tif 000003
【図２】
2004242467.tif 000004
【図３】
2004242467.tif 000005
【図４】
2004242467.tif 000006